(57)【要約】【課題】水分や油、汁物を確実に吸収することができ、そのまま下に落ちて床などを汚すというようなことがなく、裏面にラミネートした防水層が衣服の汚れ防止の役目を果たすことができる紙エプロンを提供する。【解決手段】裏面に防水層２をラミネートした吸水紙３を用いてエプロン本体１ａを形成し、前記吸水紙が、パルプとポリエステル繊維を漉き込んだクレープ紙を用いて形成され、この吸水紙３が２０〜５０ｇ／１ｍ２の量目で、防水層２の厚みが２０μになっている。【選択図】図１
0003137214.tif 000002
【実用新案登録請求の範囲】
【請求項１】
裏面に防水層をラミネートした吸水紙を用いてエプロン本体を形成し、前記吸水紙が、パルプとポリエステル繊維を漉き込んだクレープ紙を用いて形成され、この吸水紙が２０〜５０ｇ／１ｍ２の量目になっている紙エプロン。
【請求項２】
上記吸水紙の上部に首への取付け部分が設けられ、上記防水層の厚みが２０μになっている請求項１に記載の紙エプロン。
【考案の詳細な説明】
【技術分野】
【０００１】
この考案は、飲食時等の衣類の汚れを防止するために用いる紙エプロンに関する。
【背景技術】
【０００２】
飲食時の食べ物の飛び散りやこぼし、歯科治療における飛散物等で大切な衣服が汚れるのを防止する対策として、使い捨ての紙エプロンが使用されている。
【０００３】
従来の紙エプロンは、所定の大きさを有する紙の裏面に防水層をラミネートした紙を用いてエプロン本体を形成し、このエプロン本体の上部に、首への取付け部分とするために、頭被り孔を設けたり、一対の結び紐を設けた構造になっている（特許文献１参照）。
【特許文献１】実開平７−６２２６号公報
【考案の開示】
【考案が解決しようとする課題】
【０００４】
ところで、従来の紙エプロンは、紙の裏面に防水層をラミネートしているが、単なる紙は吸水性に劣り、水分や汁物がかかった場合、そのまま下に落ちて床などを汚すという可能性があり、裏面にラミネートした防水層がその役目を十分に果たしていないという問題がある。
【０００５】
そこで、この考案の課題は、上記した問題点を解決するため、紙に吸水クレープ紙を用いることにより、水分や油、汁物を確実に吸収することができ、そのまま下に落ちて床などを汚すというようなことがなく、裏面にラミネートした防水層が衣服の汚れ防止の役目を果たすことができる紙エプロンを提供することにある。
【課題を解決するための手段】
【０００６】
上記の課題を解決するため、この考案は、裏面に防水層をラミネートした吸水紙を用いてエプロン本体を形成し、前記吸水紙が、パルプとポリエステル繊維を漉き込んだクレープ紙を用いて形成され、この吸水紙が２０〜５０ｇ／１ｍ２の量目になっている構成を採用したものである。
【０００７】
上記吸水紙の上部に首への取付け部分が設けられ、上記防水層の厚みが２０μになっている構造とすることができる。
【０００８】
ここで、紙エプロンは、成人用から幼児用まで、使用対象年齢や用途に合わせて大きさや形状を設定すればよく、例えば、成人用の紙エプロンの場合、上記吸水紙は、幅４００〜４５０ｍｍ、上下寸法が６５０〜７５０ｍｍ程度の大きさを有し、上部の位置に設けた首への取付け部分は、頭被り孔を設けたり、両側に設けた一対の首紐を軽剥離の両面粘着テープで着脱可能にしたような構造になっており、首回りの調整用として前記首孔の下部には首孔から下向きにミシン目を設けるようにすることができる。
【考案の効果】
【０００９】
この考案によると、吸水紙が、パルプとポリエステル繊維を漉き込んで形成され、この吸水紙が２０〜５０ｇ／１ｍ２の量目になっているので、クレープ紙の構造と紙厚の確保によって吸水性に優れたものとなり、付着した水分や油、汁物を確実に吸収することができ、そのまま下に落ちて床などを汚すというようなことがなく、裏面にラミネートした防水層が衣服の汚れ防止の役目を果たすことができる。
【００１０】
また、吸水紙は、ポリエステル繊維の漉き込みにより強度的にも優れたものとなり、簡単に破れるようなことがないため、飲食用だけでなく、介護医療関係や幼児施設等の広範な用途の紙エプロンとなる。
【考案を実施するための最良の形態】
【００１１】
以下、この考案の実施の形態を図示例に基づいて説明する。
【００１２】
図示のように、紙エプロン１は、裏面に防水層２をラミネートした吸水紙３を用いてエプロン本体１ａを形成し、前記吸水紙３にパルプとポリエステル繊維を漉き込んだクレープ紙を用い、この吸水紙３が２０〜５０ｇ／１ｍ２の量目になっていると共に、前記防水層２は、ポリエチレンを用い、２０μの厚みになっている。
【００１３】
ここで、吸水紙３の量目が２０ｇ／１ｍ２以下であると、十分な厚みが確保できないので吸水性に劣ると共に、量目を５０ｇ／１ｍ２以上としても、紙エプロンに要求される吸水性が過剰となって無駄であり、材料コストが高くなるので不経済である。
【００１４】
また、防水層２は吸水紙３の補強にもなり、２０μより薄いと補強の効果が少なく、また、２０μより厚いと紙エプロンに要求される機能が過剰となって材料コストが高くなる。
【００１５】
上記紙エプロン１は、成人用から幼児用まで、使用対象年齢や、焼肉ハウスやレストラン、結婚式宴会場等での飲食用、介護医療関係や幼児施設の食事タイム用等用途に合わせて大きさや形状を設定すればよく、図示例は成人用の紙エプロン１の場合を示し、上下に長く下部が矩形状で上部が半円形となり、上部の位置に設けた首への取付け部分４は、頭被り孔５によって形成し、首回りの調整用として前記孔５の下部には孔５から下向きにミシン目６を設けた構造になっている。
【００１６】
上記した首への取付け部分４は、両側に設けた一対の首紐を軽剥離の両面粘着テープで着脱可能にしたような構造を採用することもできる。
ちなみに、図示した成人用の紙エプロン１は、幅４００〜４５０ｍｍ、上下寸法が６５０〜７５０ｍｍ程度の大きさになっている。
【００１７】
この考案の紙エプロン１は、上記のような構成であり、図３（ｂ）のように、吸水紙３が前になるよう頭被り孔５を頭に通して首への取付け部分４を首にかけ、エプロン本体１ａで衣服の前を覆うようにし、飲食時や介護医療関係、幼児施設の食事タイム等において、零れたり飛散した水分や油、汁物等で衣服を汚さないように保護する。
【００１８】
上記水分や油、汁物等が紙エプロン１に付着すると、これらは吸水紙３には吸引され、この吸水紙３は、クレープ紙の構造と紙厚の確保によって吸水性に優れているので、付着した水分や油、汁物を確実に素早く吸収することができ、水分や油、汁物がそのまま下に落ちて床などを汚すというようなことがなく、また、吸水紙３に付着した水分や油、汁物等は、裏面にラミネートした防水層２によって裏面側に染み出すことがなく、従って、吸水紙３に付着した水分や油、汁物等で衣服が汚れることがない。
【図面の簡単な説明】
【００１９】
【図１】この考案にかかる紙エプロンの斜視図
【図２】この考案にかかる紙エプロンの一部切り欠き平面図
【図３】（ａ）は図２の矢印ａ−ａに沿った吸水紙の拡大断面図、（ｂ）は紙エプロンの使用状態を示す説明図
【符号の説明】
【００２０】
１        紙エプロン
２        防水層
３        吸水紙
４        首への取付け部分
５        頭被り孔
６        ミシン目
【図１】
0003137214.tif 000003
【図２】
0003137214.tif 000004
【図３】
0003137214.tif 000005